【手続補正書】
【提出日】令和1年11月15日(2019.11.15)
【手続補正１】
【補正対象書類名】明細書
【補正対象項目名】０１３２
【補正方法】変更
【補正の内容】
【０１３２】
本発明の特定の実施態様が説明されたが、当業者であれば、説明された実施態様と同等の他の実施態様が存在することを理解されよう。例えば、本発明の様々な実施態様及び/又は例を組み合わせることができる。従って、本発明は、特定の例示された実施態様によって限定されるものではなく、添付の特許請求の範囲によってのみ限定されることが理解されるだろう。
本件出願は、以下の構成の発明を提供する。
（構成１）
太陽光発電モジュールを保守するためのシステムであって:
第1及び第2の支持面並びに該第1の支持面と該第2の支持面との間に配設された第1の取り付け面を備える第1の細長いレールであって、該太陽光発電モジュールの第1のアレイが該第1の取り付け面に結合されて該第1及び第2の支持面に対して持ち上げられる、該第1の細長いレール;並びに
該第1及び第2の支持面上に配設される第1の輸送手段であって:
モータ;
製品をスプレーするように構成されるスプレーシステム、及びリモート検査モジュール:からなるグループから選択される保守モジュール;並びに、
該モータの作動に応答して、該保守モジュールを該第1の細長いレールに平行な方向において横方向に連続的に移動させるように、該保守モジュールを該第1のアレイの該太陽光発電モジュールに対して懸架し、該第1及び第2の支持面に移動可能に連結される第1及び第2の支持脚
を備える、該第1の輸送手段
を備える、システム。
（構成２）
前記スプレーシステムが、前記製品を収納する容器、及び該容器に結合され、該製品をスプレーするように構成されるスプレーノズルを備える、構成1又は構成2記載のシステム。
（構成３）
前記製品が、保護材料、除草剤、反射コーティング、粉塵抑制剤、殺虫剤、動物忌避剤、又は種子のうちの1つ以上を含む、構成1から3のいずれか一項記載のシステム。
（構成４）
前記製品が液体を含む、構成1から3のいずれか一項記載のシステム。
（構成５）
前記製品が粉末を含む、構成1から3のいずれか一項記載のシステム。
（構成６）
前記第1の細長いレールが設置面上に配設され、前記スプレーノズルが該設置面上に前記製品をスプレーするように構成される、構成2から5のいずれか一項記載のシステム。
（構成７）
太陽光発電モジュールの第2のアレイを支持する第2の細長いレールをさらに備え、前記スプレーノズルが、前記第1の細長いレールと該第2の細長いレールとの間の前記設置面の領域上に前記製品をスプレーするように構成される、構成6記載のシステム。
（構成８）
前記製品が反射コーティングを含む、構成6又は構成7記載のシステム。
（構成９）
前記製品が除草剤を含む、構成6又は構成7記載のシステム。
（構成１０）
前記スプレーノズルが、前記第1のアレイの前記太陽光発電モジュールの1つ以上の背面シート上に前記製品をスプレーするように構成される、構成2から5のいずれか一項記載のシステム。
（構成１１）
前記製品が、前記第1のアレイの前記太陽光発電モジュールの耐候性を改善するように構成される保護材料を含む、構成10記載のシステム。
（構成１２）
前記スプレーノズルが前記第1の細長いレール上に前記製品をスプレーするように構成される、構成2から5のいずれか一項記載のシステム。
（構成１３）
前記製品が、耐候性を改善するように構成される保護材料、又は前記第1の細長いレールにおける1つ以上の亀裂を修理するための封止材を含む、構成12記載のシステム。
（構成１４）
前記第1のアレイの前記太陽光発電モジュールを互いに結合するアレイ配線又はモジュール接続箱をさらに備え、該アレイ配線又は該モジュール接続箱上に前記製品をスプレーするように前記スプレーノズルが構成される、構成2から5のいずれか一項記載のシステム。
（構成１５）
前記製品が絶縁層を含む、構成14記載のシステム。
（構成１６）
前記第1のアレイの前記太陽光発電モジュールを前記第1の取り付け面に結合する複数の脚をさらに備え、前記スプレーノズルが前記製品を該脚にスプレーするように構成される、構成2から5のいずれか一項記載のシステム。
（構成１７）
前記製品が酸化防止剤を含む、構成16記載のシステム。
（構成１８）
前記スプレーノズルが、太陽光発電モジュールの前記第1のアレイの太陽光発電面上に前記製品をスプレーするように構成される、構成2から5のいずれか一項記載のシステム。
（構成１９）
前記製品が反射防止コーティングを含む、構成18記載のシステム。
（構成２０）
前記リモート検査モジュールが、太陽光発電モジュールの前記第1のアレイの画像を記録するように構成されるカメラを備える、構成1から19のいずれか一項記載のシステム。
（構成２１）
前記カメラが太陽光発電モジュールの前記第1のアレイの太陽光発電面の画像を記録するように構成される、構成20記載のシステム。
（構成２２）
前記第1のアレイの前記太陽光発電モジュールを互いに結合するアレイ配線又はモジュール接続箱をさらに備え、前記カメラが該アレイ配線又はモジュール接続箱の画像を記録するように構成される、構成20又は構成21記載のシステム。
（構成２３）
前記カメラが赤外線センサを備え、前記画像が赤外線画像を含む、構成20から22のいずれか一項記載のシステム。
（構成２４）
前記輸送手段が清掃道具をさらに備える、構成1から23のいずれか一項記載のシステム。
（構成２５）
前記輸送手段が、前記第1の支持面に沿って移動する1つ以上の車輪又はトレッドの第1の組と、前記第2の支持面に沿って移動する1つ以上の車輪又はトレッドの第2の組とを備える、構成1から24のいずれか一項記載のシステム。
（構成２６）
前記第1の輸送手段を前記第1の細長いレールから第2の細長いレールに動かすように構成される列から列への機構をさらに備える、構成1から25のいずれか一項記載のシステム。
（構成２７）
前記第1及び第2の輸送手段支持面並びに前記少なくとも1つの取り付け面が、地面に配設された押出しコンクリートを備える、構成1から26のいずれか一項記載のシステム。
（構成２８）
太陽光発電モジュールを保守するための方法であって:
第1及び第2の支持面並びに該第1の支持面と該第2の支持面との間に配設された第1の取り付け面を備える第1の細長いレールであって、該太陽光発電モジュールの第1のアレイが該第1の取り付け面に結合されて該第1及び第2の支持面に対して持ち上げられる、該第1の細長いレールを用意するステップ;
該第1及び第2の支持面上に第1の輸送手段を配設するステップであって、該第1の輸送手段が、
モータ;
製品をスプレーするように構成されるスプレーシステム、及びリモート検査モジュール:からなるグループから選択される保守モジュール;並びに、
第1及び第2の支持脚
を備える、該ステップ;並びに
該第1及び第2の支持脚を使用して該保守モジュールを該第1のアレイの該太陽光発電モジュールに対して懸架するステップ
を含み、該第1及び第2の支持脚が、該モータの作動に応答して、該保守モジュールを該第1の細長いレールに平行な方向において横方向に連続的に移動させるように、該第1及び第2の支持面に移動可能に連結される、前記方法。
（構成２９）
前記スプレーシステムが、前記製品を収納する容器、及び該容器に結合され、該製品をスプレーするように構成されるスプレーノズルを備える、構成28記載の方法。
（構成３０）
前記製品が、保護材料、除草剤、反射コーティング、粉塵抑制剤、殺虫剤、動物忌避剤、又は種子のうちの1つ以上を含む、構成28又は構成29記載の方法。
（構成３１）
前記製品が液体を含む、構成28から30のいずれか一項記載の方法。
（構成３２）
前記製品が粉末を含む、構成28から30のいずれか一項記載の方法。
（構成３３）
前記第1の細長いレールが設置面上に配設され、前記スプレーノズルが該設置面上に前記製品をスプレーする、構成29から32のいずれか一項記載の方法。
（構成３４）
第2の細長いレールが太陽光発電モジュールの第2のアレイを支持し、前記スプレーノズルが、前記第1の細長いレールと該第2の細長いレールとの間の前記設置面の領域上に前記製品をスプレーする、構成33記載の方法。
（構成３５）
前記製品が反射コーティングを含む、構成33又は構成34記載の方法。
（構成３６）
前記製品が除草剤を含む、構成33又は構成34記載の方法。
（構成３７）
前記スプレーノズルが、前記第1のアレイの前記太陽光発電モジュールの1つ以上の背面シート上に前記製品をスプレーする、構成29から32のいずれか一項記載の方法。
（構成３８）
前記製品が、前記第1のアレイの前記太陽光発電モジュールの耐候性を改善するように構成される保護材料を含む、構成37記載の方法。
（構成３９）
前記スプレーノズルが前記第1の細長いレール上に前記製品をスプレーする、構成29から32のいずれか一項記載の方法。
（構成４０）
前記製品が、耐候性を改善するように構成される保護材料、又は前記第1の細長いレールにおける1つ以上の亀裂を修理するための封止材を含む、構成39記載の方法。
（構成４１）
アレイ配線又はモジュール接続箱が前記第1のアレイの前記太陽光発電モジュールを互いに結合し、前記スプレーノズルが該アレイ配線又は該モジュール接続箱上に前記製品をスプレーする、構成29から32のいずれか一項記載の方法。
（構成４２）
前記製品が絶縁層を含む、構成41記載の方法。
（構成４３）
複数の脚が前記第1のアレイの前記太陽光発電モジュールを前記第1の取り付け面に結合し、前記スプレーノズルが前記製品を該脚にスプレーする、構成29から32のいずれか一項記載の方法。
（構成４４）
前記製品が酸化防止剤を含む、構成43記載の方法。
（構成４５）
前記スプレーノズルが、太陽光発電モジュールの前記第1のアレイの太陽光発電面上に前記製品をスプレーする、構成28から32のいずれか一項記載の方法。
（構成４６）
前記製品が反射防止コーティングを含む、構成45記載の方法。
（構成４７）
前記リモート検査モジュールが、太陽光発電モジュールの前記第1のアレイの画像を記録するように構成されるカメラを備える、構成28から47のいずれか一項記載の方法。
（構成４８）
前記カメラが太陽光発電モジュールの前記第1のアレイの太陽光発電面の画像を記録する、構成47記載の方法。
（構成４９）
アレイ配線又はモジュール接続箱が前記第1のアレイの前記太陽光発電モジュールを互いに結合し、前記カメラが該アレイ配線又はモジュール接続箱の画像を記録する、構成47又は構成48記載の方法。
（構成５０）
前記カメラが赤外線センサを備え、前記画像が赤外線画像を含む、構成47から49のいずれか一項記載の方法。
（構成５１）
前記輸送手段が清掃道具をさらに備える、構成28から50のいずれか一項記載の方法。
（構成５２）
前記輸送手段が、前記第1の支持面に沿って移動する1つ以上の車輪又はトレッドの第1の組と、前記第2の支持面に沿って移動する1つ以上の車輪又はトレッドの第2の組とを備える、構成28から51のいずれか一項記載の方法。
（構成５３）
列から列への機構が前記第1の輸送手段を前記第1の細長いレールから第2の細長いレールに動かす、構成28から52のいずれか一項記載の方法。
（構成５４）
前記第1及び第2の輸送手段支持面並びに前記少なくとも1つの取り付け面が、地面に配設された押出しコンクリートを備える、構成28から53のいずれか一項記載の方法。